(57)【要約】【課題】メダルの噛み込みを防止して円滑に洗浄研磨する。【解決手段】下面にブラシ毛４ｂを植毛した上側ブラシ盤４と上面にブラシ毛５ａを植毛した下側ブラシ盤５を各ブラシ毛４ｂ，５ａが対向するように設け、同各ブラシ盤４，５間にメダルｍを投入するメダル投入口２を設け、各ブラシ盤４，５の外周及び下側ブラシ盤５の下方を囲む筒体６を設け、同筒体６に各ブラシ盤４，５間のメダルｍを排出するメダル排出口７を設け、下側ブラシ盤５を回転させるモータ１０を設け、各ブラシ毛４ｂ，５ａが対向する部分に洗浄水Ｗを給水する給水ポンプ１３を設けたメダル洗浄研磨装置において、前記筒体６の内周面を内側へ張り出させてメダル受棚６ａを形成し、遠心力で外周方向へ移行したメダルｍをメダル受棚６ａで保持して下側ブラシ盤５と筒体６内周面との間の隙間に噛み込み難くした。【選択図】          図４
2005000568.tif 000002
【特許請求の範囲】
【請求項１】
下面にブラシ毛を植毛した上側ブラシ盤と上面にブラシ毛を植毛した下側ブラシ盤を各ブラシ毛が対向するように所定間隔おいて設け、同各ブラシ盤間にメダルを投入するメダル投入口を設け、各ブラシ盤の外周及び下側ブラシ盤の下方を囲む筒体を設け、同筒体に各ブラシ盤間のメダルを排出するメダル排出口を設け、各ブラシ盤の両方又は一方を相対的に回転させる回転駆動手段を設け、各ブラシ盤のブラシ毛が対向する部分に洗浄水を給水する給水手段を設け、メダルを濡らした状態で各ブラシ盤を相対的に回転させて洗浄研磨するようにしたメダル洗浄研磨装置において、前記筒体の内周面を内側へ張り出させてメダル受棚を形成し、遠心力で外周方向へ移行したメダルをメダル受棚で保持して下側ブラシ盤と筒体内周面との間の隙間に噛み込み難くしたことを特徴とするメダル洗浄研磨装置。
【請求項２】
メダル受棚の上方に張出部をその下面がメダルの厚さより高く且つ２枚のメダルの総厚より低い位置に来るように筒体の内周に沿って設け、同張出部と筒体内周面とメダル受棚とでメダル収納溝を形成し、同メダル収納溝でメダルを重ならないように拘束しながら洗浄研磨できるようにした請求項１記載のメダル洗浄研磨装置。
【請求項３】
メダル受棚の内側周縁の角部を丸く又は斜めに形成し、メダルがメダル受棚へ移行し易いようにした請求項１又は２記載のメダル洗浄研磨装置。
【発明の詳細な説明】
【０００１】
【発明の属する技術分野】
本発明は、遊技用のメダル・硬貨（以下メダルと総称する）の表面を自動的に洗浄研磨して油・脂・ゴミ・汚れを除去するメダル洗浄研磨装置に関し、詳しくはメダルの径や厚さに係らずメダルの噛み込みを防止して円滑に洗浄研磨できるようにする技術に関する。
【０００２】
【従来の技術】
従来、メダル洗浄研磨装置としては、図８に示すように上面にブラシ毛２５ａを植毛した回転自在の下側ブラシ盤２５と下面にブラシ毛２４ａを植毛した固定の上側ブラシ盤２４を各ブラシ毛２４ａ，２５ａが対向するように所定間隔おいて設け、同各ブラシ盤２４，２５間にメダルｍを投入するメダル投入口２２を設け、各ブラシ盤２４，２５の外周及び下側ブラシ盤２５の下方を囲む筒体２６を設け、同筒体２６に各ブラシ盤２４，２５間のメダルｍを排出するメダル排出口２７を設け、下側ブラシ盤２５を回転させるモータ３０を設け、各ブラシ毛２４ａ，２５ａの対向部分に洗浄水Ｗを給水する給水管３４を設け、メダルｍを濡らした状態で下側ブラシ盤２５を回転させて自動的に洗浄研磨するようにした構造のものが知られている（例えば特許文献１参照）。
【０００３】
ところで、前記構造のメダル洗浄研磨装置は、筒体２６の内周面が垂直に形成されているから、図９に示すように洗浄研磨時に下側ブラシ盤２５の回転による遠心力で外周方向へ移行したメダルｍがブラシ毛２４ａ，２５ａの変形により下側ブラシ盤２５の外周縁へ傾いて下側ブラシ盤２５と筒体２６との間の隙間Ｋに噛み込むことがあり、下側ブラシ盤２５の回転に支障を来たし、モータ３０に過負荷が作用して損傷してしまう問題があった。
【０００４】
【特許文献１】
特開２００１−１１３０２５号公報
【０００５】
【発明が解決しようとする課題】
本発明が解決しようとする課題は、従来のこれらの問題点を解消し、メダルの噛み込みを防止して円滑に洗浄研磨できるメダル洗浄研磨装置を提供することにある。
【０００６】
【課題を解決するための手段】
かかる課題を解決した本発明の構成は、
１）  下面にブラシ毛を植毛した上側ブラシ盤と上面にブラシ毛を植毛した下側ブラシ盤を各ブラシ毛が対向するように所定間隔おいて設け、同各ブラシ盤間にメダルを投入するメダル投入口を設け、各ブラシ盤の外周及び下側ブラシ盤の下方を囲む筒体を設け、同筒体に各ブラシ盤間のメダルを排出するメダル排出口を設け、各ブラシ盤の両方又は一方を相対的に回転させる回転駆動手段を設け、各ブラシ盤のブラシ毛が対向する部分に洗浄水を給水する給水手段を設け、メダルを濡らした状態で各ブラシ盤を相対的に回転させて洗浄研磨するようにしたメダル洗浄研磨装置において、前記筒体の内周面を内側へ張り出させてメダル受棚を形成し、遠心力で外周方向へ移行したメダルをメダル受棚で保持して下側ブラシ盤と筒体内周面との間の隙間に噛み込み難くしたことを特徴とするメダル洗浄研磨装置
２）  メダル受棚の上方に張出部をその下面がメダルの厚さより高く且つ２枚のメダルの総厚より低い位置に来るように筒体の内周に沿って設け、同張出部と筒体内周面とメダル受棚とでメダル収納溝を形成し、同メダル収納溝でメダルを重ならないように拘束しながら洗浄研磨できるようにした前記１）記載のメダル洗浄研磨装置
３）  メダル受棚の内側周縁の角部を丸く又は斜めに形成し、メダルがメダル受棚へ移行し易いようにした前記１）又は２）記載のメダル洗浄研磨装置
にある。
【０００７】
【作用】
本発明では、給水手段で各ブラシ毛の対向部分に洗浄水を給水し、回転駆動手段で各ブラシ盤を相対的に又は一方を回転させる。この状態でメダルをメダル投入口を通じて各ブラシ盤間に投入すると、メダルは洗浄水に濡れて各ブラシ毛で洗浄研磨される。メダルは遠心力を受けて洗浄研磨されながら筒体の内周に沿って移行し、メダル排出口から排出される。
【０００８】
ここで、筒体の内周面にメダル受棚を形成しているから、遠心力で筒体の内周側に移行したメダルはメダル受棚に載って略ブラシ高さに水平に保持され、メダルが傾くことなく下側ブラシ盤と筒体の間の隙間に噛み込み難くなり、円滑に洗浄研磨されながら送り出される。
【０００９】
【発明の実施の形態】
本発明の各ブラシ盤の回転としては、上側ブラシ盤のみ又は下側ブラシ盤のみを回転させる方法、上側ブラシ盤と下側ブラシ盤をそれぞれ異なる方向へ回転させる方法、上側ブラシ盤と下側ブラシ盤を異なる速度で同方向へ回転させる方法があり、少なくとも上下のブラシ毛で相対的な摩擦を生じさせる回転であればよい。
【００１０】
給水手段としては、メダル投入口からメダルの投入と同時に給水する構造が一般的であるが、各ブラシ盤のブラシ毛の植毛部分から吐水させる構造もあり、洗浄水をムラなく給水できて好ましい。洗浄水としては水又は水に洗浄用の薬剤を所要量混合させたものが一般的に用いられる。
【００１１】
各ブラシ盤のブラシ毛は、ブラシ盤に同長さのものを面状となるように植毛したものや異なる長さのものを用いて凹凸となるように植毛したものなど、ブラシ状となるものであれば形状，ブラシ毛の太さ，材質は問わないが、メダル両面の油・脂・ゴミ・汚れを確実に除去し、しかもメダルの表面を傷付けにくいものが望ましい。
【００１２】
本発明のメダル洗浄研磨装置は、単体で用いてもよいし、乾燥装置や他の装置と連結させて設備として用いてもよい。以下、本発明の実施例を図面に基づいて具体的に説明する。
【００１３】
【実施例】
図１は実施例のメダル洗浄研磨装置の縦断面図、図２は実施例のメダル洗浄研磨装置の分解斜視図、図３は実施例のメダル受棚の説明図、図４〜６は実施例のメダル洗浄研磨装置の使用状態を示す説明図である。
【００１４】
図中、１はカバー、２はメダル投入口、３は環状体、４は上側ブラシ盤、４ａはメダル取入口、４ｂはブラシ毛、５は下側ブラシ盤、５ａはブラシ毛、６は筒体、６ａはメダル受棚、６ｂは排水孔、７はメダル排出口、８は回転軸、８ａは従動ローラ、９はベアリング、１０はモータ、１０ａは駆動ローラ、１１は駆動ベルト、１２は貯水タンク、１３は給水ポンプ、１４は給水管、１４ａは吐水口、１５はキャビネット、Ｋは隙間、ｍはメダル、Ｗは洗浄水である。
【００１５】
本実施例のメダル洗浄研磨装置は、図１〜３に示すように錐体状のメダル投入口２が形成されたカバー１に環状体３を介して下面にブラシ毛４ｂが植毛された上側ブラシ盤４をそのメダル取入口４ａとメダル投入口２とが連通するように取り付け、その下方同軸にブラシ毛５ａが上面に植毛された下側ブラシ盤５を回転自在に軸支している。
【００１６】
カバー１の下方には下面に排水孔６ｂと側面にメダル排出口７を備えた筒体６を上側ブラシ盤４の外周面と下側ブラシ盤５の外周面及び下方を囲むように設け、下側ブラシ盤５のブラシ毛５ａ高さと略同じ高さのメダル受棚６ａを筒体６の内周面に沿って水平に形成している。
【００１７】
下側ブラシ盤５の下面には従動ローラ８ａが軸着された回転軸８を垂設してベアリング９で軸支し、従動ローラ８ａと隣設したモータ１０の駆動ローラ１０ａとの間に駆動ベルト１１を掛架し、筒体６の排水孔６ｂ下方に洗浄水Ｗを貯水する上方が開放された貯水タンク１２を設け、貯水タンク１２内の洗浄水Ｗを送り出す給水ポンプ１３を取り付け、給水ポンプ１３で送り出された洗浄水Ｗを上方へ送水する給水管１４を配管し、給水管１４の上端部を下方へ折曲して洗浄水Ｗをメダル投入口２へ吐水する吐水口１４ａを形成している。
【００１８】
本実施例では、図４に示すようにモータ１０を作動させると駆動ベルト１１で駆動力を回転軸８に伝達して下側ブラシ盤５を回転させる。貯水タンク１２には洗浄水Ｗを貯水しており、給水ポンプ１３を作動させると洗浄水Ｗは給水管１４を通じて吐水口１４ａよりメダル投入口２へ吐水されて上側ブラシ盤４のメダル取入口４ａから各ブラシ毛４ｂ，５ａ間に流入し、下側ブラシ盤５と筒体６との間の隙間Ｋから筒体６の底部に流れ落ちて排水孔６ｂを通じて貯水タンク１２に回収され、再び給水して循環する。
【００１９】
この状態でメダルｍをメダル投入口２に投入すると、メダルｍはメダル取入口４ａを通じて下側ブラシ盤５上に落下し、各ブラシ毛４ｂ，５ａと洗浄水Ｗとで両面が洗浄研磨されながら図５に示すように下側ブラシ盤５の回転とその遠心力で外周方向へ移行し、図６に示すように下側ブラシ盤５と筒体６の内周面との間の隙間Ｋ上を越えてメダル受棚６ａ上に載る。
【００２０】
その後、メダルｍは遠心力でメダル受棚６ａ上に載った状態で洗浄研磨されながら筒体６の内周に沿って移行し、油・脂・ゴミ・汚れが除去されたメダルｍがメダル排出口７から排出され、除去した油・脂・ゴミ・汚れは洗浄水Ｗとともに排水孔６ｂから貯水タンク１２へ排水される。
【００２１】
本実施例はこのように構成したから、メダルｍの径や厚さに係らずメダルｍが下側ブラシ盤５と筒体６の内周面との間の隙間Ｋに噛み込み難くなり、下側ブラシ盤５の回転不良やモータ１０への過負荷を防止して円滑に洗浄研磨することができた。
【００２２】
図７に示すのは、実施例のメダル洗浄研磨装置の他の例である。図７は実施例の他の例のメダル受棚の説明図である。図中、６ｃは張出部、６ｄはメダル収納溝、６ｅは曲面部である。
【００２３】
図７に示す実施例の他の例は、メダル受棚６ａの上方に張出部６ｃをその下面がメダル受棚６ａの上面からメダルｍの厚さより高く且つ２枚のメダルの総厚より低い位置に来るように筒体６の内周に沿って設け、同張出部６ｃと筒体６の内周面とメダル受棚６ａとでメダル収納溝６ｄを形成し、しかもメダル受棚６ａの内側周縁の角部を丸くして曲面部６ｅを形成している。
【００２４】
従って、洗浄研磨時に遠心力でメダルｍの外周縁がメダル収納溝６ｄに挿入し、メダルｍが重ならないように拘束しながら筒体６の内周に沿って移行させ、メダルｍの両面を確実に洗浄研磨する。また、曲面部６ｅによりメダルｍがメダル受棚６ａの内側周縁に引掛かることなくメダル受棚６ａ上へ容易に移行する。その他、符号、構成は実施例と同じである。
【００２５】
【発明の効果】
以上説明したように、本発明によればメダルの噛み込みを防止して円滑に洗浄研磨し得るメダル洗浄研磨装置を提供できる。
【図面の簡単な説明】
【図１】実施例のメダル洗浄研磨装置の縦断面図である。
【図２】実施例のメダル洗浄研磨装置の分解斜視図である。
【図３】実施例のメダル受棚の説明図である。
【図４】実施例のメダル洗浄研磨装置の使用状態を示す説明図である。
【図５】実施例のメダル洗浄研磨装置の使用状態を示す説明図である。
【図６】実施例のメダル洗浄研磨装置の使用状態を示す説明図である。
【図７】実施例の他の例のメダル受棚の説明図である。
【図８】従来のメダル洗浄研磨装置の縦断面図である。
【図９】従来のメダル洗浄研磨装置の部分拡大断面図である。
【符号の説明】
１  カバー
２  メダル投入口
３  環状体
４  上側ブラシ盤
４ａ  メダル取入口
４ｂ  ブラシ毛
５  下側ブラシ盤
５ａ  ブラシ毛
６  筒体
６ａ  メダル受棚
６ｂ  排水孔
６ｃ  張出部
６ｄ  メダル収納溝
６ｅ  曲面部
７  メダル排出口
８  回転軸
８ａ  従動ローラ
９  ベアリング
１０  モータ
１０ａ  駆動ローラ
１１  駆動ベルト
１２  貯水タンク
１３  給水ポンプ
１４  給水管
１４ａ  吐水口
１５  キャビネット
２２  メダル投入口
２４  上側ブラシ盤
２４ａ  ブラシ毛
２５  下側ブラシ盤
２５ａ  ブラシ毛
２６  筒体
２７  メダル排出口
３０  モータ
３４  給水管
Ｋ  隙間
ｍ  メダル
Ｗ  洗浄水
【図１】
2005000568.tif 000003
【図２】
2005000568.tif 000004
【図３】
2005000568.tif 000005
【図４】
2005000568.tif 000006
【図５】
2005000568.tif 000007
【図６】
2005000568.tif 000008
【図７】
2005000568.tif 000009
【図８】
2005000568.tif 000010
【図９】
2005000568.tif 000011